(57)【要約】【課題】基礎断熱工法において、経年劣化に対する耐久性を高めること。【解決手段】建物の外周下部に施工された基礎１と、基礎１に設置される土台２との間に敷設されるシール材２０に関する。同シール材２０は、シート２１と、シート２１の長手方向に沿ってシート２１と一体に形成される突条パッキング２２とを備えている。突条パッキング２２は、シート２１の面Ａ、Ｂに少なくとも２条ずつ形成されている。また、各突条パッキング２２の横断面形状は、シート２１に接合する基端部２２ａと、基端部２２ａから延びてシート２１と分離した自由端部２２ｂとを有し、且つ可撓性のある材料で形成されている。【選択図】図１
2016166500.tif 000002
【特許請求の範囲】
【請求項１】
シートと、前記シートの長手方向に沿って前記シートと一体に形成される突条パッキングとを備え、建物の外周下部に施工された基礎と前記基礎に設置される土台との間に敷設される基礎用のシール材において、
前記突条パッキングは、前記シートの両面に少なくとも２条ずつ形成されているとともに、各突条パッキングは、前記シートに接合する基端部と、前記シートと分離した自由端部とを一体に有し、且つ可撓性のある材料で形成されている
ことを特徴とする基礎用のシール材。
【請求項２】
請求項１に記載の基礎用のシール材において、
前記突条パッキングは、それぞれが前記基端部から斜めに延びて前記自由端部が前記シートの表面に対向するように湾曲している
ことを特徴とする基礎用のシール材。
【請求項３】
請求項１または２に記載の基礎用のシール材において、
前記シートのうち、少なくとも幅方向において最も外側に配置された２条の突条パッキングの間に挟まれた中央部分は、前記突条パッキングと同じ可撓性の材料で形成されている
ことを特徴とする基礎用のシール材。 
【請求項４】
請求項３に記載の基礎用のシール材において、
前記シートのうち、幅方向において最も外側に配置された２条の突条パッキングよりも外側の側縁部分は、前記突条パッキングよりも硬度の高い材料で形成されている
ことを特徴とする基礎用のシール材。
【請求項５】
請求項１から３の何れか１項に記載の基礎用のシール材において、
前記シートは、全体が前記突条パッキングと同じ可撓性の材料で形成されている
ことを特徴とする基礎用のシール材。
【請求項６】
請求項１から５の何れか１項に記載の基礎用のシール材において、
前記シートは、床下に臨むように前記基礎から屋内側に延びる蟻返し部を一体に有している
ことを特徴とする基礎用のシール材。
【請求項７】
請求項１から６の何れか１項に記載の基礎用のシール材において、
前記シートは、地面に臨むように前記基礎から屋外側に延びる蟻返し部を一体に有している
ことを特徴とする基礎用のシール材。
【請求項８】
請求項１から６の何れか１項に記載の基礎用のシール材において、
前記シートは、前記基礎の側壁を外装する外装材の上端を覆うように前記基礎から屋外側に延びる見切り部を有している
ことを特徴とする基礎用のシール材。
【請求項９】
建物の外周に施工される基礎と、
基礎の上部に載置される土台と
を備え、前記基礎と前記土台との間に請求項１から７の何れか１項に記載の基礎用のシール材を敷設し、
前記シール材に設けた突条パッキングは、全体が前記シートの表面に沿うように伸びている
ことを特徴とする基礎構造体。
【請求項１０】
請求項９に記載の基礎構造体において、
前記突条パッキングは、前記土台の中心を上下に通る中心線に対して対称形に配置されているとともに、各基端部が前記中心線を挟んで向かい合うように配置されている
ことを特徴とする基礎構造体。
【発明の詳細な説明】
【技術分野】
【０００１】
本発明は、シール材および基礎構造体に関する。
【背景技術】
【０００２】
近年、住宅の断熱化、気密化が進むにつれ、建物の基礎の内側や外側にシール材を施工する基礎断熱工法が活発に採用されている。基礎断熱工法においては、建物の外周下部に施工された基礎の上面にシール材が敷設される。このシール材の上には、一般的に土台を設置される。シール材は、基礎と土台との間の気密性、防湿性を確保する。
【０００３】
上記シール材としては、特許文献１−３に開示されているように、シートと、シートの長手方向に沿って一体形成された突条パッキングとを備えた構成が一般的である。何れの特許文献１−３においても、上記突条パッキングは、横断面形状が円形または楕円形に閉じた形状になっている。上記突条パッキングは、施工時に、基礎と土台との間で圧縮され、気密性等を確保する機能を奏するものである。
【０００４】
特に、特許文献２では、荷重作用時に突条パッキングが完全に潰れないようにするために、シートの中央部分の厚さを縁辺部分に比べて薄く形成している。
【先行技術文献】
【特許文献】
【０００５】
【特許文献１】特許第３５２７６５４号公報
【特許文献２】特許第４０２２１３５号公報
【特許文献３】特許第４１３３９９８号公報
【発明の概要】
【発明が解決しようとする課題】
【０００６】
上述したように、突条パッキングを備えたシートを基礎と土台との間に敷設している構成では、施工時に突条パッキングが圧縮されることにより、シール性が向上する。
【０００７】
しかしながら、上記突条パッキングが、円形断面または楕円形の中空部材あるいは中実部材である場合には、突条パッキングが圧縮される時に異形に座屈しやすくなり、必ずしも高いシール性を発揮することができないおそれがあった。特に、突条パッキングが中空である場合、シートと突条パッキングの接合部分には、偏荷重がかかりやすく、この部分に亀裂が生じやすくなる。そのため、均質なシール性が確保しにくいばかりではなく、シートの経時的な耐久性に影響を与えるおそれもあった。
【０００８】
また、特許文献２のように、シートの中央部分の厚さを縁辺部分に比べて薄く形成している構成では、シートの厚みを規定通りに製造することが困難になり、製品にばらつきが生じやすくなり、歩留まりが悪くなる等の問題があった。
【０００９】
本発明は、上述した課題に鑑みてなされたものであり、経年劣化に対する耐久性の高いシール材および基礎構造体を提供することを課題としている。
【課題を解決するための手段】
【００１０】
上記課題を解決するために、本発明の一の態様は、シートと、前記シートの長手方向に沿って前記シートと一体に形成される突条パッキングとを備え、建物の外周下部に施工された基礎と前記基礎に設置される土台との間に敷設される基礎用のシール材において、前記突条パッキングは、前記シートの両面に少なくとも２条ずつ形成されているとともに、各突条パッキングは、前記シートに接合する基端部と、前記シートと分離した自由端部とを一体に有し、且つ可撓性のある材料で形成されている基礎用のシール材である。この態様では、シール材は、建物の外周下部に施工された基礎の上面に敷設される。このシール材の上には、土台が設置される。この土台から受ける荷重により、シール材の突条パッキングは、自由端部がシートの表面に沿って押し拡げられる。ここで、本態様の突条パッキングの横断面形状は、シートに接合する基端部と、前記シートと分離した自由端部とを有し、且つ可撓性のある材料で形成されている。そのため、突条パッキングの基端部は、過度な荷重を受けることなく変形し、突条パッキングは、全体が前記シートの表面に沿うように伸びる。これにより、シール材は、基礎と土台との間の気密性、防湿性を確保する。また、シートの一方の面に形成された突条パッキングが基礎とシートとの間をシールすることともに、シートの他方の面に形成された突条パッキングがシートと土台との間をシールし、より高い気密性、防湿性等を発揮する。突条パッキングは、可撓性があり、且つ耐久性の高い塩化ビニール樹脂などの軟質の樹脂材料が好適である。また、シートは、突条パッキングと同じ材料であってもよく、異なる材料を用いてもよい。シートの材質は、全て同質の材料であってもよく、用途に応じて部分的に硬度の異なる材料を組み合わせたものであってもよい。シートの素材としては、樹脂が好適であるが、それに限定する必要はない。
【００１１】
好ましい態様の基礎用のシール材において、前記突条パッキングは、それぞれが前記基端部から斜めに延びて前記自由端部が前記シートの表面に対向するように湾曲している。この態様では、施工時において基礎と土台との間でシール材が挟圧される際に、突条パッキングが滑らかに押し拡げられる。そのため、突条パッキングは、偏荷重が突条パッキングの基端部に生じることなく綺麗に伸び、気密性、および防湿性の高いシール材として機能する。
【００１２】
好ましい態様の基礎用のシール材において、前記シートのうち、少なくとも幅方向において最も外側に配置された２条の突条パッキングの間に挟まれた中央部分は、前記突条パッキングと同じ可撓性の材料で形成されている。この態様では、シートの中央部分の加工が容易になる。そのため、施工時にアンカーボルトの挿通孔を必要となった場合等において、現場での加工を簡単に実施することができる。
【００１３】
好ましい態様の基礎用のシール材において、前記シートのうち、幅方向において最も外側に配置された２条の突条パッキングよりも外側の側縁部分は、前記突条パッキングよりも硬度の高い材料で形成されている。この態様では、シール材の側縁側を多目的で用いる際に、目的に適した硬度に設定することができる。
【００１４】
好ましい態様の基礎用のシール材において、前記シートは、全体が前記突条パッキングと同じ可撓性の材料で形成されている。この態様では、シートと突条パッキングとを一体に製造することが容易になり、低廉で歩留まりの高い製品を製造することができる。
【００１５】
好ましい態様の基礎用のシール材において、前記シートは、床下に臨むように前記基礎から屋内側に延びる蟻返し部を一体に有している。この態様では、シートの蟻返し部が屋内側に延びて床下に臨み、蟻返しとして機能する。
【００１６】
好ましい態様の基礎用のシール材において、前記シートは、地面に臨むように前記基礎から屋外側に延びる蟻返し部を一体に有している。この態様では、シートの蟻返し部が屋外側に延びて地面に臨み、蟻返しとして機能する。
【００１７】
好ましい態様の基礎用のシール材において、前記シートは、前記基礎の側壁を外装する外装材の上端を覆うように前記基礎から屋外側に延びる見切り部を有している。この態様では、基礎の外装工事を施工する際に、いわゆる「モルストップ」機能を奏することができ、しかも、施工後は、シートの見切り部を外装材の見切り材として機能させることができる。
【００１８】
本発明の別の態様は、建物の外周に施工される基礎と、基礎の上部に載置される土台とを備え、前記基礎と前記土台との間に上記基礎用のシール材を敷設し、前記シール材に設けた突条パッキングは、全体が前記シートの表面に沿うように伸びている。この態様では、基礎が建物の外周に施工される。基礎の上面には、シール材が敷設される。このシール材の上には、土台が設置される。この土台から受ける荷重により、シール材の突条パッキングは、全体がシートの表面に沿うように伸びている。そのため、シール材は、基礎と土台との間の気密性、防湿性を確保する。また、シートの下面に形成された突条パッキングが基礎とシートとの間をシールすることともに、シートの上面に形成された突条パッキングがシートと土台との間をシールし、より高い気密性、防湿性等を発揮する。しかも、自由端部がシートの表面に沿って押し拡げられるので、突条パッキングには、無理な偏荷重を受けることなく伸びている。よって、突条パッキングやシートの耐久性が向上する。
【００１９】
好ましい態様の基礎構造体において、前記突条パッキングは、前記土台の中心を上下に通る中心線に対して対称形に配置されているとともに、各基端部が前記中心線を挟んで向かい合うように配置されている。この態様では、シール材の上に土台を設置する際、土台から受ける荷重が、土台の中心線の一方と他方に配設された突条パッキングに均等に伝播し、それぞれの自由端部が中心線から反対側に押し広げられる。そのため、シートの位置ずれが生じにくくなり、規定の寸法通りに施工しやすくなる。また、各突条パッキングが均等に力を受けることにより、偏荷重やそれに伴う傾斜等が生じにくくなる。
【００２０】
本発明のさらなる特徴、目的、構成、並びに作用効果は、添付図面と併せて読むべき以下の詳細な説明から容易に理解できるであろう。
【図面の簡単な説明】
【００２１】
【図１】本発明の実施の一形態に係る基礎構造体を示す分解斜視図である。
【図２】図１の基礎構造体に係るシール材の一部を破断して示す断面図である。
【図３】図１の基礎構造体の施工過程を示す断面略図である。
【図４】図１の基礎構造体の施工後の状態を示す断面略図である。
【図５】本発明の別の実施形態を示すシール材の斜視図である。
【図６】本発明のさらに別の実施形態を示すシール材の斜視図である。
【図７】本発明のさらに別の実施形態を示す基礎構造体の施工後の状態を示す断面略図である。
【発明を実施するための形態】
【００２２】
以下、添付図面を参照して、本発明を実施するための最良の形態について説明する。
【００２３】
まず、図１を参照して、本実施形態に係る基礎構造体１０は、住宅用建物の基礎１と、土台２と、シール材２０とを備えている。図示の例において、基礎１は、地盤に打設されたコンクリート製品である。基礎１は、建物の外周に沿って施工されており、その内側が屋内側、外側が屋外側となっている。基礎１の屋外側側壁は、化粧モルタル３で外装される。また、基礎１の屋内側側壁には、断熱材４が貼着される。断熱材４の側部には、床下が区画される。
【００２４】
シール材２０は、基礎１と土台２との間に敷設され、基礎１と土台２との間の間隙の気密性、防湿性を図るものである。本実施形態に係るシール材２０は、シート２１と突条パッキング２２とを一体に備えている。
【００２５】
シート２１は、施工される基礎や土台の寸法に応じて、長方形に裁断された樹脂成型品である。図示の例では、基礎１の長手方向に沿って長辺が延びる長方形に形成されている。また、後述するように、シート２１の短辺は、基礎１の幅よりも若干長く設定されている。
【００２６】
図２に示すように、シート２１には、複数の突条パッキング２２が形成されている。具体的には、シート２１の一方の面（シート２１が基礎１に対向する面。以下の説明では、下面ともいう）Ａと、他方の面（シート２１が土台２に対向する面。以下の説明では、上面ともいう）Ｂとにそれぞれ２個ずつ形成されている。なお、上記「２個」はあくまで例示であり、例えば、４個であってもよく、それ以外の個数であってもよい。一方、突条パッキング２２の個数は、偶数であることが好ましい。突条パッキング２２が施工時に受ける圧力を均等に分配して、シート２１の位置ずれを解消することができるからである。
【００２７】
図示の例では、シート２１の両面Ａ、Ｂに設けられた各突条パッキング２２は、土台２の中心を上下に通る中心線（すなわち、土台２の幅を左右に二等分する中心線）Ｏを軸にして、対称形に配置されている。また、下面Ａに設けられた突条パッキング２２と、上面Ｂに設けられた突条パッキング２２とは、シート２１を軸にして、対称形に配置されている。
【００２８】
各突条パッキング２２は、シート２１に接合される基端部２２ａと、基端部２２ａに延設された自由端部２２ｂとを含む。各基端部２２ａは、中心線Ｏを挟んで互いに間隔を隔てて対向している。また、各突条パッキング２２は、その自由端部２２ｂ側が中心線Ｏから離れる方向に傾斜している。さらに各突条パッキング２２は、その自由端部２２ｂ側が大きく湾曲している。この結果、各突条パッキング２２の基端部２２ａと自由端部２２ｂとの間には、基礎１または土台２に臨む円弧部２２ｃが形成される。円弧部２２ｃは、施工時に突条パッキング２２をシート２１に押し付ける荷重を受ける受圧点Ｐを形成する。なお、自由状態において、各自由端部２２ｂは、シート２１の対応する面（下面Ａまたは上面Ｂ）に対し、隙間を隔てている。
【００２９】
突条パッキング２２は、樹脂成型品が好適である。突条パッキング２２の材質は、例えば、塩化ビニール樹脂が好ましい。特に、突条パッキング２２は、可撓性があり、且つ耐久性および気密性（通気しない特性）の高い材料（例えば、軟質塩化ビニール樹脂：ＳＰＶＣ）が好適である。尤も、突条パッキング２２の材質を樹脂に限定する必要はない。
【００３０】
一方、シート２１は、突条パッキング２２と同じ材料であってもよく、異なる材料を用いてもよい。
【００３１】
シート２１の材質は、全て同質の材料であってもよく、用途に応じて部分的に硬度の異なる材料を組み合わせたものであってもよい。シート２１の素材としては、樹脂が好適であるが、それに限定する必要はない。
【００３２】
ところで、中心線Ｏから屋外側に配置された上下面一組の突条パッキング２２と、中心線Ｏから屋内側に配置された上下一組の突条パッキング２２とにより、シート２１は、両組の突条パッキング２２に挟まれた中間部２１ａと、中間部２１ａの屋外側に延びる屋外側部２１ｂと、中間部２１ａの屋内側に延びる屋内側部２１ｃとに区分することができる。本実施形態においては、少なくとも中間部２１ａが突条パッキング２２と同じ軟質の材料で形成されている。また、本実施形態においては、屋外側部２１ｂおよび屋内側部２１ｃが中間部２１ａよりも硬質の材料（例えば、硬質塩化ビニール樹脂：ＨＰＶＣ）で形成されている。中間部２１ａと屋外側部２１ｂおよび屋内側部２１ｃとで材質の異なるシートを得るためには、例えば、共押出成形法により押出成形することが好適である。また、必要に応じて中間部２１ａを屋外側部２１ｂおよび屋内側部２１ｃよりも薄く成形してもよい。無論、別の態様として、シート２１全体が軟質材料で形成されていてもよい。
【００３３】
さらに、シート２１は、透明または半透明であることが好ましい。その場合には、基礎１の上面に設けた墨打ちラインを目印に位置決めが容易になり、施工時の寸法精度を高めることができる。
【００３４】
次に、施工時のシール材２０の作用について説明する。
【００３５】
図２および図３に示すように、基礎１を打設した後、基礎１の屋内側には、事前に断熱材４が貼着されている。この状態で、基礎１の上には、シール材２０が敷設される。この敷設時においては、中心線Ｏに対し、シート２１の両面Ａ、Ｂに設けられた各突条パッキング２２が対称に配置されるように、位置決めする。また、必要に応じて、基礎１に対し、シート２１を仮止めする。その後、土台２が接地されると、シール材２０は、基礎１と土台２との間で挟圧される。
【００３６】
この挟圧時において、各突条パッキング２２の円弧部２２ｃは、受圧点Ｐから力を受ける。これにより、突条パッキング２２は、基端部２２ａの根元を支点Ｐ１として撓み、支点Ｐ１を中心に回動する。この結果、各自由端部２２ｂは、シート２１に押し付けられる。突条パッキング２２がさらに挟圧されると、各突条パッキング２２の自由端部２２ｂは、基端部２２ａから離れる方向にスライドするように押し拡げられ、遂には平板状に伸ばされる。この際、土台２から受ける荷重は、中心線Ｏを境にして、屋外側と屋内側とに配設された突条パッキングに均等に伝播し、それぞれの自由端部２２ｂが中心線Ｏから反対側に押し広げられる。そのため、土台２の設置時にシート２１の位置ずれが生じにくくなる。
【００３７】
図４を参照して、土台２を設置した後において、基礎１の屋外側側壁には、化粧モルタル３が施工される。ここで、本実施形態において、シート２１の屋外側部２１ｂは、基礎１から幾分屋外側に突出している。この突出部分を目標にして、作業者は、化粧モルタル３を施工することができる。このように、屋外側部２１ｂの突出部分は、施工時において、化粧モルタル３を施工するときの寸法を規定する機能（いわゆる「モルストップ」機能）を奏するとともに、施工後は、基礎１の化粧モルタル３の見切り材として機能する。また、シート２１の屋内側部２１ｃは、基礎１の内側壁に貼着された断熱材４よりもさらに屋内側に突出し、断熱材４の側部に区画される床下に臨んでいる。そのため、この突出部分は、断熱材４を伝って移動するシロアリ等を避ける蟻返しとして機能する。シート２１は、少なくとも屋内側部２１ｃの下面に、白蟻が忌避する特性を有する防蟻剤を練り込んでいることが好ましい。無論、シート２１全体に防蟻剤を練り込んでいてもよい。
【００３８】
以上説明したように、本実施形態によれば、シール材２０は、基礎１の上面に敷設される。このシール材２０の上には、土台２が設置される。この土台２から受ける荷重により、シール材２０の突条パッキング２２は、自由端部２２ｂがシート２１の表面に沿って押し拡げられる。ここで、突条パッキング２２の横断面形状は、シート２１に接合する基端部２２ａと、基端部２２ａから延びてシート２１と分離した自由端部２２ｂとを有し、且つ可撓性のある材料で形成されている。そのため、突条パッキング２２の基端部２２ａは、過度な荷重を受けることなく変形し、図４に示したように、突条パッキング２２は、全体がシート２１の表面に沿うように伸びる。これにより、シール材２０は、基礎１と土台２との間の気密性、防湿性を確保する。また、シート２１の下面Ａを構成する一方の面に形成された突条パッキング２２が基礎１とシート２１との間をシールすることともに、シート２１の上面Ｂを構成する他方の面に形成された突条パッキング２２がシート２１と土台２との間をシールし、より高い気密性、防湿性等を発揮する。
【００３９】
また、本実施形態のシール材２０において、各突条パッキング２２は、それぞれが基端部２２ａから斜めに延びて自由端部２２ｂがシート２１の表面に対向するように湾曲している。このため本実施形態では、施工時において基礎１と土台２との間でシール材２０が挟圧される際に、突条パッキング２２が滑らかに押し拡げられる。そのため、突条パッキング２２は、偏荷重が突条パッキング２２の基端部２２ａに生じることなく綺麗に伸び、気密性、および防湿性の高いシール材２０として機能する。
【００４０】
また本実施形態では、シート２１のうち、幅方向において最も外側に配置された２条の突条パッキング２２の間に挟まれた中央部分、すなわち、中間部２１ａのみを、突条パッキングと同じ可撓性の材料（例えば、軟質塩化ビニール樹脂）で形成するようにしてもよい。そのため本実施形態では、シート２１の中央部分の加工が容易になる。そのため、施工時にアンカーボルトの挿通孔を必要となった場合等において、現場での加工を簡単に実施することができる。
【００４１】
特に本実施形態では、幅方向において最も外側に配置された２条の突条パッキング２２の外側の側縁部分、すなわち、屋外側部２１ｂと屋内側部２１ｃとは、中間部２１ａよりも硬度の高い硬質材料（例えば、硬質塩化ビニール樹脂）で形成されている。そのため本実施形態では、シール材２０の側縁側を多目的で用いる際に、目的に適した硬度に設定することができる。
【００４２】
また、別の態様においては、シート２１全体が、突条パッキング２２と同一の軟質塩化ビニール樹脂で形成されている。そのような態様では、シート２１と突条パッキング２２とを一体に製造することが容易になり、低廉で歩留まりの高い製品を製造することができる。
【００４３】
また、本実施形態のシール材２０において、シート２１は、床下に臨むように基礎１から屋内側に延びる蟻返し部としての屋内側部２１ｃを一体に有している。このため本実施形態では、シート２１の屋内側部２１ｃが屋内側に延びて床下に臨み、蟻返しとして機能する。
【００４４】
また、本実施形態のシール材２０において、シート２１は、基礎１の側壁を外装する外装材の上端を覆うように基礎１から屋外側に延びる見切り部としての屋外側部２１ｂを有している。このため本実施形態では、基礎１の外装工事を施工する際に、いわゆる「モルストップ」機能を発揮する。よって、作業性が向上する。また、施工後において、シート２１の屋外側部２１ｂは、化粧モルタル３の見切り材として機能する。よって、施工後の外観も向上する。
【００４５】
本発明の別の態様は、基礎構造体１０である。同基礎構造体１０は、建物の外周に施工される基礎１と、基礎１の上部に載置される土台２とを備えている。基礎１と土台２との間には、シール材２０が敷設される。シール材２０の各突条パッキング２２は、全体がシート２１の表面に沿うように伸びている。本実施形態に係る基礎構造体１０では、基礎１が建物の外周に施工される。基礎１の上面には、シール材２０が敷設される。このシール材２０の上には、土台２が設置される。この土台２から受ける荷重により、シール材２０の突条パッキング２２は、全体がシート２１の表面に沿うように伸びている。そのため、シール材２０は、基礎１と土台２との間の気密性、防湿性を確保する。また、シート２１の下面Ａに形成された突条パッキング２２が基礎１とシート２１との間をシールすることともに、シート２１の上面Ｂに形成された突条パッキング２２がシート２１と土台２との間をシールし、より高い気密性、防湿性等を発揮する。しかも、自由端部２２ｂがシート２１の表面（下面Ａまたは上面Ｂ）に沿って押し拡げられるので、突条パッキング２２には、無理な偏荷重を受けることなく伸びている。よって、突条パッキング２２やシート２１の耐久性が向上する。
【００４６】
また本実施形態では、各突条パッキング２２は、土台２の中心を上下に通る中心線Ｏに対して対称形に配置されているとともに、各基端部２２ａが中心線Ｏを挟んで向かい合うように配置されている。このため本実施形態では、シール材２０の上に土台２を設置する際、土台２から受ける荷重が、土台２の中心線Ｏの一方と他方に配設された突条パッキング２２に均等に伝播し、それぞれの自由端部２２ｂが中心線Ｏから反対側に押し広げられる。そのため、シート２１の位置ずれが生じにくくなり、規定の寸法通りに施工しやすくなる。また、各突条パッキング２２が均等に力を受けることにより、偏荷重やそれに伴う傾斜等が生じにくくなる。
【００４７】
本発明は、上述した実施の形態に限定されるものではない。
【００４８】
例えば、図５に示すように、シート２１の中間部２１ａに、長手方向沿って断続的に形成されたアンカー切込み目印２１ｄを設けてもよい。この態様では、現場の状況に合わせてアンカー切込み目印２１ｄを選択的に接続し、中間部２１ａに穿孔することができる。よって、基礎１に設けられたアンカーボルト（図示せず）を挿通する際にも、施工が容易になる。
【００４９】
なお、シート２１の中間部２１ａを屋外側部２１ｂや屋内側部２１ｃと異なる材質を選択する場合には、中間部２１ａのみを半透明または透明の材質にしてもよい。
【００５０】
また、一部の材料を硬質材で構成する場合、例えば、屋外側部２１ｂのみ、または屋内側部２１ｃのみを用途に応じて硬質材で構成してもよい。
【００５１】
また、シール材２０の突条パッキング２２は、図２、図３等に示したように、基端部から傾斜して延びていることが好ましいが、本発明は、上記実施形態に限らず、シール材２０として流通させる過程では、例えば、図６に示したように、シート２１から垂直に起立した突条パッキング２２を撓ませてもよい。
【００５２】
さらにまた、図７に示す構成を採用してもよい。図７の態様では、シート２１の屋外側部２１ｂは、基礎１の化粧モルタル３よりもさらに屋外側に突出し、地面に臨んでいる。そのため、この突出部分は、化粧モルタル３を伝って移動するシロアリ等を避ける蟻返しとして機能する。この態様において、少なくとも屋外側部２１ｂの下面には、防蟻剤を練り込んでいることが好ましい。無論、シート２１全体に防蟻剤を練り込んでいてもよい。
図７の態様を採用した場合には、シート２１の屋外側部２１ｂが屋外側に延びて地面に臨み、蟻返しとして機能する。
【００５３】
その他、本発明の特許請求の範囲内で種々の変更が可能であることはいうまでもない。
【符号の説明】
【００５４】
１     基礎
２     土台
３     化粧モルタル
４     断熱材
１０   基礎構造体
２０   シール材
２１   シート
２１ａ 中間部
２１ｂ 屋外側部
２１ｃ 屋内側部
２１ｄ アンカー切込み目印
２２   突条パッキング
２２ａ 基端部
２２ｂ 自由端部
Ａ     下面（一方の面の一例）
Ｂ     上面（他方の面の一例）
【図１】
2016166500.tif 000003
【図２】
2016166500.tif 000004
【図３】
2016166500.tif 000005
【図４】
2016166500.tif 000006
【図５】
2016166500.tif 000007
【図６】
2016166500.tif 000008
【図７】
2016166500.tif 000009